(57)【要約】【課題】  既存のフェイスマスクは、目元、口元の際を保護するものがなく、睡眠中にメイクアップ等で酷使した肌部分を保護できない。また、顔全体を覆うマスクは、それ自体を取らなければ視界が確保されず、使用が制限されてしまう。本発明は肌を補正する睡眠時を無駄にせず、活用することで、美容、健康を追求する方々へフェイスマスクの提供をするものである。【解決手段】抗菌・防臭加工された生地で縫合したフェイスマスク本体にアイマスク、リップマスクを一体化し、それぞれを開閉式にしたマスクを被覆使用することで顔のお手入れ直後から睡眠時に顔全体のお手入れ効果を高めることができ、また、使用者の生活スタイルや好み、体調等によって自由に使用でき、睡眠時に限定されずに使用することが可能である。【選択図】  図１
2011240113.tif 000002
【特許請求の範囲】
【請求項１】
顔面全体を被覆するフェイスマスクであって、その眼部、及び鼻口部の    いずれか一方若しくは両方が開口され、フェイスマスク本体が両目、眉間を含み開口    された眼部と鼻部、鼻下部、口部を含んだ鼻口部が開口され、その開口された眼部若    しくは鼻口部のいずれか一方、若しくは両方に開閉自在な閉口部材が備えられている    ことを特徴とするフェイスマスク。
【請求項２】
前記フェイスマスクにおいて、鼻口部に備えられている閉口部材が、鼻    部を残し口部のみを閉口、若しくは鼻口部両方を閉口することを特徴とする、請求項    １に記載のフェイスマスク。
【請求項３】
前記フェイスマスクにおいて、眼部若しくは鼻口部が開口若しくは閉口    した状態で閉口部材を保持する為の保持機能が備えられていることを特徴とする請求    項１または請求項２に記載のフェイスマスク。
【請求項４】
前記フェイスマスクにおいて、鼻口部の保持機能が、両耳下から顎のラ    インに沿って、伸縮性のある生地をフェイスマスク本体に縫合することで、顎に折り    返す構造から成ることを特徴とする請求項３に記載のフェイスマスク。
【請求項５】
前記フェイスマスクにおいて、フェイスマスク本体または閉口部材のい    ずれか一方若しくは両方が抗菌・防臭加工された繊維からなる生地から作られている    ことを特徴とする請求項１から４のいずれかに記載のフェイスマスク。
【請求項６】
人間の顔の前面を全体的に覆うフェイスマスク本体であって、人間の眼    部を開放するための眼部開放用開口及び人間の鼻口部を開放するための鼻口部開放用    開口が形成されたフェイスマスク本体と、このフェイスマスク本体に前記眼部開放用    開口を閉塞して前記眼部を覆う閉塞位置と、これを開放して前記眼部を覆わない開放    位置との間で折り返し自在に取り付けられたアイマスクと、前記フェイスマスク本体    に、前記鼻口部開放用開口を閉塞して少なくとも前記口部を覆う閉塞位置と、これを    開放して前記口部を覆わない開放位置との間で折り返し自在に取り付けられたリップ    マスクと、を具備することを特徴とする美容＆健康フェイスマスク。
【請求項７】
前記リップマスクは、前記閉塞位置において、前記鼻部も覆うように形    成されていることを特徴とする請求項６に記載の美容＆健康フェイスマスク。
【発明の詳細な説明】
【技術分野】
【０００１】
本発明は、抗菌・防臭加工された繊維生地を使用し、フェイスマスクにアイアスク、  リップマスクが一体化された顔用のマスクで、肌のお手入れ直後から睡眠時に被覆使用  することが出来る、美容効果を高め、健康を促進するフェイスマスクに関するものであ  り、特に、フェイスマスク本体、アイマスク、リップマスクが一体化され、閉口部材が  開閉式になっていることを特徴とする。ここで、フェイスマスク本体とは顔全体、アイ  マスクとは眼部、リップマスクとは鼻口部を被覆するマスクを指すものとする。
【背景技術】
【０００２】
従来より、顔面の肌のお手入れに、美容効果を高めるべく、フェイスマスクが使用    される。かかるフェイスマスクとして、特許文献１や特許文献２に記載されたものが    提案されている。これら、文献に提案されたフェイスマスクは、いずれも睡眠中に使    用が出来るものである。
【０００３】
しかしながら、特許文献１のもので、マスクの瞼部分がくり抜かれている場合、万    人に合わせて片方ずつ大きめに開口されているため、メイクアップ等で酷使している    目元の際の肌の充分な保護ができない。また、同様に鼻部、口部、眼部に関しても的    確に合わず、装着に苦労する。
【０００４】
さらに、特許文献１のマスクは、鼻の鼻孔を開放して、着用時の息苦しさから開放      
できるとしているが、呼吸器官である鼻の鼻孔を露出することにより、肌や粘膜が外      
気に触れてしまい、結果、顔面全体が乾燥してしまう恐れがある。また、部屋の下に      
溜りやすい、塵や埃等のハウスダスト、花粉等を大量に吸引してしまう可能性も高く      
睡眠を阻害してしまうことになる。
【０００５】
また、特許文献２のマスクによると、使用時はマスク全体を取らなければ、視野が      
遮断されてしまうため、使用が睡眠中に限定されてしまう。
【先行技術文献】
【特許文献】
【０００６】
【特許文献１】特開  ２００６−３２０３５２号公報
【特許文献２】特開  ２００１−０３７５４１号公報
【発明の概要】
【発明が解決しようとする課題】
【０００７】
きれいなハリのある、みずみずしい赤ちゃんのような肌。これは世の方々の永遠の憧  れである。しかし、現実はそう簡単にはいかないもので、加齢とともに、肌年齢も高く  なる。肌の部位における悩みの上位には、必ず目元（眉間を含む。）、口元（法令線を  含む。）がランクインされる。その内容とはシワ、シミ等多岐にわたる。
【０００８】
目元のいわゆる「ちりめんジワ」といわれるものの主な原因は肌表皮の乾燥である。  思春期に多量に分泌する皮脂量は２０歳代を境に減少し始まる。加齢とともに、肌の水  分量は不足し、充分な代謝が行われなくなると、その乾燥は大変深刻なものとなる。目  元の特に瞼部分は頬等に比べると皮膚が非常に薄く、デリケートである。唇は角質層が  薄く、皮脂腺が少ないため、特に乾燥しやすくダメージを受けやすい。しかしながら、  目元、口元の部位は特に重点的にメイクアップするところでもあり、肌を酷使している  場合が多い。冬場などは特に、空気の乾燥とともに肌の乾燥も増し、保湿剤や美容液、  クリーム等が手放せない。
【０００９】
特許文献１のフェイスマスクの少なくとも眼部が片方ずつくり抜いて開口してある    場合、使用者の両目間隔のサイズや目自体の大きさがフェイスマスクの開口と合わな    いために、目元の際の充分な保護ができない。また、特に肌の保護が必要な瞼部分や    目尻が露出されてしまうため、睡眠時の乾燥を防ぐことが出来ない。
【００１０】
そのため、本発明では、フェイスマスクにアイマスク、リップマスクを一体化縫合    し、アイマスク、リップマスクを開閉式にすることで目元口元の際を含む顔全体を保    護することを課題とする。また、お手入れ直後から睡眠中に被覆使用することができ    、特別なことは何もせずに乾燥を防ぎ、普段のお手入れ効果を充分に発揮し、高める    ことが出来るのである。このフェイスマスクを開発することにより、世のアレルギー    疾患等で悩む方々、美顔を求める方々の救世主となり、また、前述の欠点を解決しよ    うとするものである。                                                            
【課題を解決するための手段】
【００１１】
本発明は、顔面全体を被覆するフェイスマスクである。請求項１・請求項２、請求    項６及び請求項７では、フェイスマスク本体の眼部及び鼻口部に夫々対応する部分が    開口され、その開口された眼部（アイマスク部分）若しくは鼻口部（リップマスク部    分）のいずれか一方、若しくは両方に、開閉自在な閉口部材（アイマスク、リップマ    スク）が備えられているフェイスマスクを提案する。両目、眉間間を含み楕円形状に    開口し、鼻部、鼻下部、口部を含み楕円形状に開口することにより、万人に利用可能    なフェイスマスクとなり、閉口部材を閉じれば、目元、口元の際の保護も可能となる    。ただし、開口形状は楕円形状に限定しない。
【００１２】
本発明の請求項３では、伸縮性の生地を使用することにより、鼻口部（リップマス    ク部分）に備えられる閉口部材が鼻部、口部のいずれか一方または両方を閉口するこ    とが可能なフェイスマスクを提案する。
【００１３】
本発明の請求項４では、眼部（アイマスク部分）若しくは鼻口部（リップマスク部  分）が開口、若しくは閉口した状態で、閉口部材を保持する為の保持機能が備えられて  いることを特徴とするフェイスマスクを提案する。眼部は、両目部と眉間を楕円形状等  に開口した部分を被覆できるような形状にアイマスクを縫合し、保持機能により、額に  留めることを可能にした。鼻口部の保持機能は、両耳下から顎のラインに沿って、伸縮  性のある生地をフェイスマスク本体に縫合することで、顎に折り返すことが可能である  。
【００１４】
本発明の請求項５では、生地は抗菌・防臭加工が施された繊維から作られ、鼻口部      
や肌自体の呼吸を阻害しない生地を加工使用する。肌は清潔に保たれ、乾燥を防ぎ、    適度に保湿されることにより、美容効果を高め、健康を増進することができるフェイ    スマスクを提案する。
【発明の効果】
【００１５】
前述の様に、本発明の美容＆健康フェイスマスクは起きている時は、アイマスクや      
リップマスクの開閉部分を開口して装着使用する事により、視野は確保され、会話や    飲食を容易に行うことが出来る。また、睡眠時の肌が再生活発化し、肌が再生される    睡眠中に開閉部材を閉口したフェイスマスクを被覆使用して睡眠をとるだけで、目元    、口元の際を含む、顔全体のお手入れ効果を高めることができる優れものである。ま    た、アイマスク、リップマスクが開閉式なので、使用者の生活スタイルや用途、体調    に合わせて使用可能であるところが最大の特徴といえる。
【００１６】
その他、（１）部屋の下のほうに溜まりやすいハウスダスト、花粉等から身を守り      、
アレルギー性結膜炎、アレルギー性鼻炎、アトピー性皮膚炎等の疾患のある方の安眠    の確保（２）無意識にかきむしってしまうことによってできる、掻き傷、しわ等の予    防（３）洗濯できるので、常に衛生的に良好（４）繰り返し使用できるので、ゴミが    増えず自然に優しい（５）経済的負担の軽減（６）フェイスマスク使用により、寝具    の汚れが顔に付かない、顔に付いている化粧品等で寝具を汚さない（７）鼻口部のリ    ップマスクを顎に折り返して使用時の小顔リフトアップ、二重あごの防止等、二次的    な効果も期待、見込める画期的なフェイスマスクである。
【図面の簡単な説明】
【００１７】
【図１】本発明の美容＆健康フェイスマスクの一実施例の構成を眼部開放用開口      及び鼻口部開放用開口を夫々アイマスク及びリップマスクで閉塞した状態で示す正      面図である。
【００１８】
【図２】本発明の美容＆健康フェイスマスクの一実施例の構成を眼部開放用開口      及び鼻口部開放用開口を夫々アイマスク及びリップマスクで閉塞した状態で示す側      面図である。
【００１９】
【図３】本発明の美容＆健康フェイスマスク一実施例の本発明の美容＆健康フェ       イスマスクの他の実施例の構成を、眼部開放用開口及び鼻口部開放用開口を夫々開      放した状態で示す正面の図である。
【００２０】
【図４】本発明の美容＆健康フェイスマスクの他の実施例の構成を、眼部開放用          開口及び鼻口部開放用開口を夫々アイマスク及びリップマスクで閉塞          した状態で示す正面図である。
【００２１】
【図５】本発明の美容＆健康フェイスマスクの他の実施例の構成を、眼部開放用            開口及び鼻口部開放用開口を夫々アイマスク及びリップマスクで閉        塞した状態で示す側面図である。
【発明を実施するための形態】
【００２２】
本発明の、美容＆健康フェイスマスクはフェイスマスク本体に、アイマスク及び      、リップマスクが一体化し、アイマスク、リップマスクが開閉自在なため、睡眠時      のみならず、起きている間も使用可能だが、睡眠前の肌のお手入れ直後に使用する      ことにより、肌を清潔に保ち、肌の乾燥を防ぎ適度に保湿され、お手入れの効果を      より高めることが可能なのである。
【００２３】
フェイスマスクのアイマスク、リップマスクが開閉自在なため、使用者の生活ス      タイルや好みにより使用することも可能にし、お手入れ直後に被覆使用し、アイマ      スクやリップマスク部分を開口することで、テレビや飲食、会話等も容易に行うこ      とができる。その間も、開口部以外の顔全体部位は何もせずに、充分にお手入れ効      果を高めているのである。
【００２４】
生地は、特に鼻口部、肌全体の毛孔の呼吸を阻害しないように配慮し、肌触りの      よい抗菌・防臭加工したものを使用、若しくはそれらを綿、絹、ガーゼ等に縫合し      たものを使用する。なお、本発明に使用する生地の素材については、特に限定しな      い。
【００２５】
リップマスクの折り返し部分は、伸縮性の優れた柔軟な生地を使用し、両耳下か      ら顎のラインに弧をえがくようにフェイスマスク本体に縫合し、または貼り付ける      等、顎にソフトに折り返すことが出来るように工夫する。また、折り返し部分に、      形態記憶棒を縫合させて安定感をもたせてもよいが、この限りではない。
【００２６】
フェイスマスク時は全体がずれないように、両耳の部分或いは後頭部に柔らかい      ゴム等を取り付け固定する。ただし、固定素材については限定しない。また、フェ      イスマスク本体の両側端部に耳を引っ掛けるための開口を設け、その開口に耳を掛      けることで、フェイスマスクの装着状態を維持できるようにしてもよい。
【００２７】
アイマスクを開放状態に保持するための保持機能はベルクロファスナー等の素材      を用いて達成することが出来、フェイスマスク装着時に眼部開放用開口１aをする      際容易に開放状態を保持できるようにする。ただし、保持機能の素材については限      定しない。
【実施例】
【００２８】
以下、添付図面を参照して、本発明の美容＆健康フェイスマスクの一実施例を説明する。図１の参照符号１は、フェイスマスク本体を示しており、このフェイスマスク本体１は、人間の顔を全体的に覆うように形成され、両耳に係止するための係止用穴（図示せず）や、頭部の後部に掛け渡された取り付け用ゴムバンド（図示せず）を介して、顔への取り付け状態を保持されるようになされている。
【００２９】
このフェイスマスク本体１には、顔に取り付けられた状態で、顔の眼部を開放す
るための眼部開放用開口１aと、鼻口部を開放するための鼻口部開放用開口１bとが形成されている。また、眼部開放用開口１aには、これを開放可能に、アイマスク２が取り付けられており、鼻口部開放用開口１bには、これを開放可能に、リップマスク３が取り付けられている。              
【００３０】
このアイマスク２は、フェイスマスク本体１に、これの上縁を眼部開放用開口１      aの上縁に沿って例えば縫合することにより、折り返し自在に取り付けられており      、図１及び図２に示すように、折り返されず、下方に垂れ下がった状態で眼部を覆      い、上方に折り返された状態で、眼部を覆わないようになされている。換言すれば      、このアイマスク２は、フェイスマスク本体１に対して、眼部開放用開口１aを閉      塞し、眼部を覆う閉塞位置と、開口１aを開放し、眼部を覆わない開放位置との間      で、折り返し自在に取り付けられているものである。
【００３１】
また、上述したリップマスク３は、フェイスマスク本体１に、これの下縁で折り        
返し自在に一体的に取り付けられており、詳細は図示してないが、折り返されない      状態で、顔の顎の下方を覆うと共に、鼻口部を覆わないようになされ、上方に折り      返された状態で、口のみを覆うようになされている。換言すれば、このリップマス      ク３は、フェイスマスク本体１に対して、鼻口部開放用開口１bを部分的に閉塞し      、口を覆う閉塞位置と、開口１bを開放し、鼻口を覆わない開放位置との間で、折      り返し自在に取り付けられているものである。
【００３２】
ここで、フェイスマスク本体１、アイマスク２、及び、リップマスク３の顔全
体に直接触れる生地素材は抗菌・防臭加工し、お手入れの効果を高めるよう加工し      た生地を使用し、肌自体の呼吸、特に鼻口部での呼吸を阻害しないように配慮し、      加工されている。
【００３３】
眼部開放用開口１aは、誰の目にもフィットするよう、両目と眉間を含め楕円
形状等にくり抜かれている。また、鼻口部開放用開口１ｂは飲食や会話がしやすい      ように鼻部、鼻下部、口部を含み、楕円形状等にくり抜かれてある。開口部の形状      は特に限定しない。
【００３４】
また、アイマスク２で、視野を確保したい場合は、ベルクロファスナー等の保持      機能により上方に折り上げた状態、即ち、開放位置に留めておくことが出来、睡眠      時以外にも視野が確保される。睡眠中にトイレ等で視野を確保したい場合は、フェ      イスマスク全体を外さなくても、アイマスク２を保持機能により額に留めるだけで      、容易に視野が確保されるものである。
【００３５】
更に、リップマスク３は伸縮性のある柔軟な生地から形成することにより、開放      位置において顎に折り返して使用できるため、会話や飲食等も問題なく行うことが      できる。睡眠時は口部を覆うことができる。
【００３６】
使用者の生活スタイルや好み、体調等により、１と２と３、１と２、１と３、１      のみといった４通りの使い方が可能である。
【００３７】
この発明は、上述した一実施例の構成に限定されることなく、この発明の要旨を      逸脱しない範囲で種々変形可能であることは、言うまでも無い。
【００３８】
例えば、上述した一実施例において、アイマスク２は、フェイスマスク本体１に      縫合により折り返し可能な状態で一体的に取り付けられるように説明したが、この      ような取り付け態様に限定されることなく、眼部開放用開口１aを形成する際にフ      ェイスマスク本体１に上縁部分を残して部分的に切り込みを入れ、この上縁部分を      折り返し部として機能させるように構成しても良いのである。
【００３９】
また、上述した一実施例において、リップマスク３は、開塞位置において、口部      のみを覆うように説明したが、この発明は、このような構成に限定されることなく      、図４及び図５に、他の実施例として示すように、閉塞位置において口部及び鼻部      を一括して覆うように形成しても良いのである。
【００４０】
尚、他の実施例において、上述した一実施例と同一部分には、同一符号を付して      、その説明を省略する。
このように、他の実施例を構成することにより、鼻部までを覆う状態で睡眠した      い場合にも、本発明の美容＆健康フェイスマスクが適用できるものである。
【符号の説明】
【００４１】
１    フェイスマスク本体
１ａ  眼部開放用開口
１ｂ  鼻口部開放用開口
２    アイマスク
３    リップマスク
【図１】
2011240113.tif 000003
【図２】
2011240113.tif 000004
【図３】
2011240113.tif 000005
【図４】
2011240113.tif 000006
【図５】
2011240113.tif 000007